(57)【要約】【課題】ユーザがバックスイングにおいて腰をスウェイしないように促すことができ、かつダウンスイングにおいて腰の回転を十分に行なうように促すことができる簡素な構造のスイング矯正具を提供する。【解決手段】腰ベルト２と、足掛け具４と、一端が腰ベルト２に他端が足掛け具４にそれぞれ係留されるバンド３と、を備え、バンド３は、腰ベルト２との係留位置が、ユーザ１００の腰部に巻き付け固定された腰ベルト２のゴルフスイング時の飛球方向側となる体側部に対応した位置であり、ユーザ１００の腰部を腰ベルト２に沿って背中側に半巻して、ゴルフスイング時の飛球方向と反対側となる体側部における腰部と大腿部の付け根に沿って通され、足掛け具４に係留されるようになっていて、腰部を回転しない状態において、少なくとも腰部と大腿部の付け根から足掛け具４までの長さ部分が、延びて所要強度の緊張状態になる長さの紐状弾性体３１ａよりなる。【選択図】図２
0003195971.tif 000002
【実用新案登録請求の範囲】
【請求項１】
ゴルフスイングの練習をするユーザの腰部に巻き付け固定される腰ベルトと、
前記ゴルフスイング時の飛球方向側となる前記ユーザの前足に履いた靴に掛け止められる足掛け具と、
一端が前記腰ベルトに他端が前記足掛け具にそれぞれ係留されるバンドと、を備え、
前記バンドは、前記腰ベルトとの係留位置が、前記ユーザの腰部に巻き付け固定された前記腰ベルトの前記ゴルフスイング時の飛球方向側となる体側部に対応した位置であり、前記ユーザの腰部を前記腰ベルトに沿って背中側に半巻して、前記ゴルフスイング時の飛球方向と反対側となる体側部における腰部と大腿部の付け根に沿って通され、前記足掛け具に係留されるようになっていて、前記腰部を回転しない状態において、少なくとも前記腰部と前記大腿部の付け根から前記足掛け具までの長さ部分が、延びて所要強度の緊張状態になる長さの紐状弾性体よりなることを特徴とするスイング矯正具。
【請求項２】
ゴルフスイングの練習をするユーザの腰部に巻き付け固定される腰ベルトと、
前記ゴルフスイング時の飛球方向側となる前記ユーザの前足に履いた靴に掛け止められる足掛け具と、
一端が前記腰ベルトに他端が前記足掛け具にそれぞれ係留されるバンドと、を備え、
前記バンドは、前記腰ベルトとの係留位置が、前記ユーザの腰部に巻き付け固定された前記腰ベルトの前記ゴルフスイング時の飛球方向側となる体側部に対応した位置であり、前記ユーザの腰部を前記腰ベルトに沿って背中側に半巻して、前記ゴルフスイング時の飛球方向と反対側となる体側部における腰部と大腿部の付け根に沿って通され、前記足掛け具に係留されるようになっていて、前記腰部を回転しない状態において、少なくとも前記腰部と前記大腿部の付け根から前記足掛け具までの長さ部分が、延びて所要強度の緊張状態になる長さの紐状弾性体よりなり、
前記腰ベルトには、前記腰部と前記大腿部の付け根に対応する位置に前記バンドを該腰ベルトから離間しないように位置規制する位置規制具を備えたことを特徴とするスイング矯正具。
【請求項３】
前記紐状弾性体は、前記ゴルフスイング終了時における前記ユーザの腰部を最大限の回転したときに弛みが生じない長さに設定されていることを特徴とする請求項１または２に記載のスイング矯正具。
【請求項４】
前記バンドの全長が前記紐状弾性体よりなり、前記バンドが長さ方向に複数の部分に分割されてなり、かつ前記分割された少なくとも一つの部分の前記紐状弾性体の弾性率が他の部分の前記紐状弾性体の弾性率と異なることを特徴とする請求項１または２に記載のスイング矯正具。
【請求項５】
前記紐状弾性体は、前記バンドと着脱自在に前記バンドに備えられていることを特徴とする請求項１または２に記載のスイング矯正具。
【請求項６】
前記腰ベルトと前記バンドとは、分離可能に連結されていることを特徴とする請求項１または２に記載のスイング矯正具。
【請求項７】
前記バンドと前記足掛け具とは、分離可能に連結されていることを特徴とする請求項１または２に記載のスイング矯正具。
【考案の詳細な説明】
【技術分野】
【０００１】
本考案は、ゴルフスイングを矯正するためのスイング矯正具に関する。
【背景技術】
【０００２】
ゴルフにおけるミスショットの代表的な原因の一つとして、バックスイングにおける腰のスウェイ（腰が飛球方向と逆方向に動くことをいう。以下同じ。）が挙げられる。腰がスウェイすると、パワーが逃げてヘッドスピードが上がらず十分な飛距離が得られない。また、他の代表的な原因には、ダウンスイングにおける腰の回転が十分に行われていないことが挙げられる。腰の回転が十分でないと、インパクトの瞬間におけるゴルフクラブのヘッドスピードを確保できず、十分な飛距離が得られない。
【０００３】
従来、バックスイングにおけるスウェイを防止するスイング矯正具の一例として、ベルト部と、弾性体である帯紐部とからなり、帯紐部でベルト部のユーザの飛球方向と反対側の腰の位置と同ユーザの飛球方向と反対側の足とをつなぐ構成のものが既に知られている（例えば、特許文献１参照）。
【先行技術文献】
【特許文献】
【０００４】
【特許文献１】特開平１０−１５５９６５号公報
【考案の概要】
【考案が解決しようとする課題】
【０００５】
しかしながら、特許文献１に開示されたスイング矯正具にあっては、バックスイングにおける腰のスウェイを防止できるものの、ダウンスイングにおける腰の回転が十分に行われることを促すものではなかった。したがって、ダウンスイングにおける腰の回転が十分に行われることを促すことによって、インパクトの瞬間におけるゴルフクラブのヘッドスピードを確保し、十分な飛距離が得られるようにする、という問題は解決されていない。
【０００６】
本考案は、上述のような課題を解決するためになされたものであり、ユーザがバックスイングにおいて腰をスウェイしないように促すことができ、かつダウンスイングにおいて腰の回転を十分に行なうように促すことができる簡素な構造のスイング矯正具を提供することを目的とする。
【課題を解決するための手段】
【０００７】
本考案に係るスイング矯正具は、上記目的達成のため、（１）ゴルフスイングの練習をするユーザの腰部に巻き付け固定される腰ベルトと、前記ゴルフスイング時の飛球方向側となる前記ユーザの前足に履いた靴に掛け止められる足掛け具と、一端が前記腰ベルトに他端が前記足掛け具にそれぞれ係留されるバンドと、を備え、前記バンドは、前記腰ベルトとの係留位置が、前記ユーザの腰部に巻き付け固定された前記腰ベルトの前記ゴルフスイング時の飛球方向側となる体側部に対応した位置であり、前記ユーザの腰部を前記腰ベルトに沿って背中側に半巻して、前記ゴルフスイング時の飛球方向と反対側となる体側部における腰部と大腿部の付け根に沿って通され、前記足掛け具に係留されるようになっていて、前記腰部を回転しない状態において、少なくとも前記腰部と前記大腿部の付け根から前記足掛け具までの長さ部分が、延びて所要強度の緊張状態になる長さの紐状弾性体よりなる構成である。
【０００８】
この構成により、腰部が回転していない状態であるアドレス時において、バンドは、少なくとも腰部と大腿部の付け根から足掛け具までの長さ部分を占める紐状弾性体が、延びて所要強度の緊張状態になる。このため、ユーザの腰には、紐状弾性体による弾性復帰力が飛球方向に作用している。さらに、バックスイングにおいては、ユーザの飛球方向と反対側の腰部がユーザの背側の方向に回転し、その結果、ユーザの腰部から足掛け具までの距離がアドレス時における距離よりも長くなる。このため、バックスイングにおいては、紐状弾性体がさらに引き伸ばされることとなり、ユーザの腰に作用する紐状弾性体の弾性復帰力がアドレス時における紐状弾性体の弾性復帰力よりさらに大きくなる。すなわち、バックスイングが完了したトップ・オブ・スイング時にはユーザが腰に目一杯のひねりを加えることにより、ユーザの飛球方向と反対側の腰部はユーザの背側の方向に移動するので、ユーザの腰部から足掛け具までの距離が最大になっている。
【０００９】
従って、アドレスからトップ・オブ・スイングに至るまでのバックスイングの全過程において、ユーザの腰には飛球方向と逆の方向へ動くこと（スウェイ）を防止する弾性復帰力が作用する。このため、かかる弾性復帰力の作用により、バックスイングの全過程においてユーザが腰をスウェイしないように促すことができる。
【００１０】
トップ・オブ・スイング時の位置からアドレス時の位置までゴルフクラブを振り戻すダウンスイングにおいては、かかる最大長になった紐状弾性体がアドレス時における長さに戻ろうとする弾性復帰力、すなわち紐状弾性体の長さが短くなる方向に弾性復帰力が作用する。このため、かかるダウンスイングにおいて紐状弾性体の長さが短くなる過程においては、紐状弾性体を含むバンドが腰ベルトに沿ってユーザの背中側に半巻きされているので、ユーザの背中全体に対して、背中側に向けて捩っていた腰を逆の方向に捩り戻そうとする弾性復帰力が作用する。この弾性復帰力は、ダウンスイングにおける腰の回転を補助するように作用し、ダウンスイングにおける腰の回転が十分に行われるように促すことができる。
【００１１】
本考案に係るスイング矯正具は、（２）ゴルフスイングの練習をするユーザの腰部に巻き付け固定される腰ベルトと、前記ゴルフスイング時の飛球方向側となる前記ユーザの前足に履いた靴に掛け止められる足掛け具と、一端が前記腰ベルトに他端が前記足掛け具にそれぞれ係留されるバンドと、を備え、前記バンドは、前記腰ベルトとの係留位置が、前記ユーザの腰部に巻き付け固定された前記腰ベルトの前記ゴルフスイング時の飛球方向側となる体側部に対応した位置であり、前記ユーザの腰部を前記腰ベルトに沿って背中側に半巻して、前記ゴルフスイング時の飛球方向と反対側となる体側部における腰部と大腿部の付け根に沿って通され、前記足掛け具に係留されるようになっていて、前記腰部を回転しない状態において、少なくとも前記腰部と前記大腿部の付け根から前記足掛け具までの長さ部分が、延びて所要強度の緊張状態になる長さの紐状弾性体よりなり、前記腰ベルトには、前記腰部と前記大腿部の付け根に対応する位置に前記バンドを該腰ベルトから離間しないように位置規制する位置規制具を備えた構成である。
【００１２】
この構成のスイング矯正具は、前述した（１）のスイング矯正具に比べ、位置規制具を備えている点で相違する。従って、このスイング矯正具は、前述した（１）のスイング矯正具と同一の作用効果を有することに加え、位置規制具を備えていることにより、バンドは常にゴルフスイング時の飛球方向と反対側となる体側部における腰部と大腿部の付け根に沿って通され、位置ずれが生じるということがない。従って、バンドの紐状弾性体による弾性復帰力が腰部と大腿部の付け根より体側部に伝わりさらに背中側を半回りして反対側体側部の腰部に、作用することが保証される。このため、ゴルフスイングを行う毎にバンドの位置ずれを直すという煩わしさがない。
【００１３】
上記（１）または（２）の構成を備える本考案に係るスイング矯正具は、（３）前記紐状弾性体が、前記ゴルフスイング終了時における前記ユーザの腰部を最大限の回転したときに弛みが生じない長さに設定されている構成とするのがよい。  
【００１４】
この構成により、本考案に係るスイング矯正具は、ダウンスイングの後、インパクトからフィニッシュに至るまでのフォロースルーの過程においても腰の回転が十分に行われるように促すことができる。
【００１５】
上記（１）または（２）の構成を備える本考案に係るスイング矯正具は、（４）前記バンドの全長が前記紐状弾性体よりなり、前記バンドが長さ方向に複数の部分に分割されてなり、かつ前記分割された少なくとも一つの部分の前記紐状弾性体の弾性率が他の部分の前記紐状弾性体の弾性率と異なる構成としてもよい。  
【００１６】
この構成により、本考案に係るスイング矯正具においては、分割されたバンドの各部分を連結する順序を変更することができ、これにより一つの部分と他の部分の長さを変え、あるいは弾性率を変えることにより、連結する順序を異ならせることを通じて、ユーザの腰に作用する弾性復帰力の大きさを調整することができる。
【００１７】
上記（１）または（２）の構成を備える本考案に係るスイング矯正具は、（５）前記紐状弾性体が、前記バンドから着脱可能に前記バンドに取り付けられている構成としてもよい。
【００１８】
この構成により、本考案に係るスイング矯正具においては、紐状弾性体が疲弊して弾性を失った場合に紐状弾性体のみを新品と交換することができる。また、異なる弾性率を有する別の紐状弾性体と交換することにより、ユーザの腰に作用する弾性復帰力の大きさを調整することができる。
【００１９】
上記（１）または（２）の構成を備える本考案に係るスイング矯正具は、（６）前記腰ベルトと前記バンドとが、分離可能に連結されている構成としてもよい。  
【００２０】
この構成により、本考案に係るスイング矯正具においては、ユーザの好みに合わせて腰ベルトのみを置き替えることができる。
【００２１】
上記（１）または（２）の構成を備える本考案に係るスイング矯正具は、（７）前記バンドと前記足掛け具とが、分離可能に連結されている構成としてもよい。  
【００２２】
この構成により、本考案に係るスイング矯正具においては、足掛け具が破損した場合に当該破損した足掛け具のみを新品と交換することができる。
【考案の効果】
【００２３】
本考案によれば、ユーザがバックスイングにおいて腰をスウェイしないように促すことができ、かつダウンスイングにおいて腰の回転を十分に行なうように促すことができる簡素な構造のスイング矯正具を提供することができる。
【図面の簡単な説明】
【００２４】
【図１】本考案の一実施の形態に係るスイング矯正具を示す斜視図である。
【図２】ユーザが本考案の第１の実施の形態に係るスイング矯正具を装着したアドレス時の状態をユーザの正面から見た概略図である。
【図３】ユーザが本考案の第１の実施の形態に係るスイング矯正具を装着したバックスイング時の状態をユーザの正面から見た概略図である。
【図４】ユーザが本考案の第１の実施の形態に係るスイング矯正具を装着したトップ・オブ・スイング時の状態をユーザの斜め側面から見た概略図である。
【図５】本考案の第２の実施の形態に係るスイング矯正具を示す斜視図である。
【考案を実施するための形態】
【００２５】
次に、本考案に係る実施の形態について図面を参照して説明する。
【００２６】
（第１の実施の形態）
まず、図１を参照して本実施の形態に係るスイング矯正具１の構成を説明する。スイング矯正具１は、腰側係留具６および位置規制具７を備えた腰ベルト２と、紐状弾性体３１ａを備えたバンド３と、足側掛け止め具８を備えた足掛け具４とを備えている。
【００２７】
腰ベルト２は、ゴルフスイングの練習をするユーザ１００の腰部に巻き付けて固定される。腰ベルト２は、ユーザ１００の腰周りのサイズに合わせて調整自在に設けられている広幅のベルトである。本実施の形態では、腰ベルト２の長さ方向一端部の表面２１および他端部の裏面２２に面ファスナーが形成されており、ユーザ１００は、腰ベルト２を装着する際に一端部を他端部の任意の位置と面ファスナーによって接合することにより、ユーザ１００の腰周りのサイズに合わせて腰ベルト２の装着時における一周の長さを調整することができるようになっている。なお、ユーザ１００の腰周りのサイズに合わせた腰ベルト２の調整方式は、面ファスナーに限られず、例えば穴尾錠止めのピンバックルなどのバックルであってもよい。また、腰ベルト２の幅は広幅である必要はない。
【００２８】
腰ベルト２には、バンド３を係留する腰側係留具６が設けられている。腰側係留部６は。腰ベルト２がユーザ１００の腰部に巻き付け固定されたときにゴルフスイング時に飛球方向側となるユーザ１００の体側部に対応した位置に設けられている。
【００２９】
さらに、腰ベルト２には、ユーザ１００の腰部と大腿部の付け根に対応する位置にバンド３を腰ベルト２から離間しないように位置規制する位置規制具７が設けられている。位置規制具７は、輪状の部材であり、バンド３を通しており、連結はしていない。位置規制具７は、腰ベルト２がユーザ１００の腰部に巻き付け固定されたときにゴルフスイングの開始から終了までバンド３の背回り部分を腰ベルト２からずれ落ちないようにして、腰ベルト２がユーザ１００の飛球方向と反対側の腰部と大腿部の付け根に対応する位置からずれ落ちないようにしている。位置規制具７は、高張力を有する布製で腰ベルト２に縫合されていてもよいし、フック状の金具として構成されてもよい。
【００３０】
なお、スイング矯正具１は位置規制具７を備えない構成としてもよい。この場合には、ゴルフスイングに伴いバンド３に位置ずれが生ずるので、１回のスイング毎にバンド３の位置ずれを直す。
【００３１】
バンド３は、その一端が腰ベルト２に係留され、他端が足掛け具４にそれぞれ係留されている。バンド３は、腰ベルト２との係留位置からユーザ１００の腰部を腰ベルト２に沿って背中側に半巻して、ゴルフスイング時の飛球方向と反対側となる体側部における腰部と大腿部の付け根に沿って通され、足掛け具４に係留されるようになっている。バンド３の腰ベルト２との係留位置は、腰ベルト２がユーザ１００の腰部に巻き付け固定されたときにゴルフスイング時に飛球方向側となるユーザ１００の体側部に対応した位置である。  バンド３は、ユーザ１００が腰部を回転しない状態において、少なくともユーザ１００の腰部と大腿部の付け根から足掛け具４までの長さ部分が、延びて所要強度の緊張状態になる長さの紐状弾性体３１ａよりなる。
【００３２】
本実施の形態では、バンド３は、弾性体部分３１と非弾性体部分３２とを直列に連結するよう構成されている。弾性体部分３１は、バンド３の一部を構成し、ユーザ１００が腰部を回転しない状態において、ユーザ１００の腰部と大腿部の付け根から足掛け具４までの長さ部分を占める。一方、非弾性体部分３２は、バンド３の一部を構成し、ユーザ１００が腰部を回転しない状態において、腰ベルト２とバンド３との係留位置からユーザ１００の腰部と大腿部の付け根までの長さ部分を占める。
【００３３】
弾性体部分３１は、紐状弾性体３１ａ、腰側連結具３１ｂおよび足側連結部３１ｃからなっている。紐状弾性体３１ａは、ゴムチューブと当該ゴムチューブ内に通された１本または複数本のゴム紐により構成されている。なお、紐状弾性体３１ａは、引張コイルばねであってもよい。腰側連結具３１ｂは、非弾性体部分３２と連結される。足側連結具３１ｃは、足掛け具４と連結される。
【００３４】
非弾性体部分３２は、帯状体３２ａ、腰側連結具３２ｂおよび足側連結部３２ｃからなっている。帯状体３２ａは、伸び縮みしない革製あるいは布製の帯紐により構成されている。腰側連結具３２ｂは、腰ベルト２に、設けられた腰側係留具と連結される。足側連結具３２ｃは、弾性体部分３１の腰側連絡具３１ｂと連結される。
【００３５】
弾性体部分３１は、両端に連結具３１ｂ、３１ｃを備えているので分離可能である。この構成により、本考案に係るスイング矯正具１においては、紐状弾性体３１ａが疲弊して弾性を失った場合に弾性体部分３１を新品と交換することができる。また、異なる弾性率を有する別の弾性体部分３１と交換することにより、ユーザの腰に作用する弾性復帰力の大きさを調整することができる。
【００３６】
足掛け具４は、ゴルフスイング時の飛球方向側となるユーザ１００の前足に履いた靴に掛け止めされる。足掛け具４は、本実施の形態では、輪形状のアクリル繊維製であるが、フック形状であってもよく、また、金属製あるいはプラスチック製あるいは木製であってもよい。また、足掛け具４はバンド３の下端部をループにして形成されていてもよい。
【００３７】
次に、図２から図４を用いてスイング矯正具１の作用を説明する。図２から図４は、それぞれ、アドレス時、バックスイング時およびトップ・オブ・スイング時においてユーザ１００がスイング矯正具１を装着した状態を示し、各図において、矢印はゴルフボール１０２の飛球方向を示している。
【００３８】
図２は、ユーザ１００がスイング矯正具１を装着したアドレス時の状態をユーザ１００の正面から見た概略図である。アドレス時には腰は回転していないが、この状態においても、バンド３は、腰部と大腿部の付け根から足掛け具４までの長さ部分を占める紐状弾性体３１ａが、延びて所要強度の緊張状態になる。このため、ユーザ１００の腰には、紐状弾性体３１ａによる弾性復帰力が飛球方向に作用している。
【００３９】
よって、アドレス時すなわちバックスイングの初期段階から、ユーザ１００の腰には飛球方向と逆の方向へ動くこと(スウェイ)を防止する弾性復帰力が作用する。このため、かかる弾性復帰力の作用により、バックスイングの初期段階からユーザ１００が腰をスウェイしないように促すことができる。
【００４０】
図３は、ユーザ１００がスイング矯正具１を装着したバックスイング時の状態をユーザ１００の正面から見た概略図である。バックスイングにおいては、ユーザ１００は、ゴルフクラブ１０１をアドレス時における位置からゴルフボール１０２の飛球方向と逆の方向に引きながら腰を回転させてトップ・オブ・スイングに向けて腰の回転の力を蓄積する。
【００４１】
すなわち、バックスイングにおいては、ユーザ１００の飛球方向と反対側の腰部はユーザ１００の背側の方向に回転し、その結果、ユーザ１００の腰部から足掛け具４までの距離がアドレス時における距離より長くなる。このため、バックスイングにおいては、紐状弾性体３１ａがさらに引き伸ばされることとなり、ユーザ１００の腰に作用する紐状弾性体３１ａの弾性復帰力がアドレス時における紐状弾性体３１ａの弾性復帰力よりさらに大きくなる。
【００４２】
すなわち、バックスイングが完了したトップ・オブ・スイング時にはユーザ１００が腰に目一杯のひねりを加えることにより、ユーザ１００の飛球方向と反対側の腰部はユーザ１００の背側の方向に移動するので、ユーザ１００の腰部から足掛け具４までの距離が最大長になっている。
【００４３】
従って、トップ・オブ・スイングに至るまでのバックスイングの全過程において、ユーザ１００の腰には飛球方向と逆の方向へ動くこと（スウェイ）を防止する弾性復帰力が作用する。このため、かかる弾性復帰力の作用により、バックスイングの全過程においてユーザが腰をスウェイしないように促すことができる。
【００４４】
図４は、ユーザ１００がスイング矯正具１を装着したトップ・オブ・スイング時の状態をユーザ１００の斜め側面から見た概略図である。ユーザ１００は、ここからダウンスイングの動きに入り、トップの位置にあるゴルフクラブ１０１をアドレス時の位置に振り降ろしてゴルフボール１０２を打つ。
【００４５】
トップ・オブ・スイング時の位置からアドレス時の位置までゴルフクラブを振り戻すダウンスイングの過程においては、最大長になっている紐状弾性体３１ａがアドレス時における長さに戻ろうとする弾性復帰力が作用する。このため、かかるダウンスイングにおいて紐状弾性体３１ａが元の自然長に復帰していく過程においては、アドレス時の状態に捩り戻そうとする弾性復帰力が作用している。本実施の形態に係るスイング矯正具１においては、紐状弾性体３１ａを含むバンド３が腰ベルト２に沿ってユーザ１００の背側に半巻きされているので、該弾性復帰力はユーザ１００の腰部の背側全体に対して、ダウンスイングにおけるユーザ１００の腰の回転を補助するように作用し、ユーザ１００がダウンスイングにおいて腰の回転を十分に行なうように促すことができる。
【００４６】
ダウンスイングが完了し、ゴルフクラブ１０１がアドレスの位置まで振り降ろされてボール１０２が打たれると、次にゴルフスイングはフォロースルーの過程に移る。フォロースルーは、ゴルフクラブ１０１がフィニッシュの位置に到達したときに完了し、これを以ってゴルフスイングが終了する。紐状弾性体３１ａは、ゴルフスイング終了時におけるユーザ１００の腰部を最大限回転した時においても弛みが生じない長さに設定されている。
【００４７】
かかるフォロースルーの過程では、ユーザ１００の腰の回転により、ユーザ１００の飛球方向と逆の側の腰部は、アドレス時における腰の位置より飛球方向側に移動するため、フォロースルーが進行するにつれて腰部と大腿部の付け根から足掛け具４までの距離がより短くなる。このため、ダウンスイング完了後、フォロースルーが進行するにつれて紐状弾性体３１ａの長さがより短くなり、フォロースルー完了時（ゴルフスイング終了時）には紐状弾性体３１ａの長さは最短になっている。前述のとおり、紐状弾性体３１ａは、ゴルフスイング終了時、すなわち紐状弾性体３１ａの長さが最短になっている時点でも弛みが生じない長さに引き伸ばされた状態にある。よって、紐状弾性体３１ａは、フォロースルーの全過程を通じて、弛みが生じない長さに引き伸ばされた状態に置かれ、その自然長に戻ろうとする弾性復帰力を維持している。
【００４８】
従って、紐状弾性体３１ａの弾性復帰力は、フォロースルーの全過程を通じて、ユーザ１００の腰部の背中全体に対して、紐状弾性体３１ａが短くなる方向、すなわちユーザ１００の飛球方法とは逆の側の腰部がアドレス時における腰の位置より飛球方向側に移動する方向に作用する。この弾性復帰力は、フォロースルーにおけるユーザ１００の腰の回転を補助するように作用し、フォロースルーにおけるユーザ１００の腰の回転が十分に行われるように促すことができる。
【００４９】
（第２の実施の形態）
本実施の形態に係るスイング矯正具は、図５に示すように、バンド３の全長が紐状弾性体３１ａよりなり、バンド３は、長さ方向に２つの部分に分割されている。具体的には、バンド３は、ユーザ１００の足の位置（バンド３を足掛け具４に係留する位置）から腰の位置（バンド３を腰ベルト２に係留する位置）に向かって、第１のバンド部分３Ａおよび第２のバンド部分３Ｂに分割されている。第１のバンド部分３Ａの長さは、ユーザ１００が腰部を回転しない状態において、ユーザ１００の腰部と大腿部の付け根から足掛け具４までの長さ部分の長さである。一方、バンド部分Ｂの長さは、ユーザ１００が腰部を回転しない状態において、腰ベルト２とバンド３との係留位置からユーザ１００の腰部と大腿部の付け根までの長さ部分の長さである。第１のバンド部分３Ａを構成する紐状弾性体３１ａＡの弾性率は、第２のバンド部分３Ｂを構成する紐状弾性体３１ａＢの弾性率より大きい。その他の構成は第１の実施の形態と同一なので、説明を省略する。  
【００５０】
かかる順序で２つの部分が連結された状態で分割されているバンド３の状態を「第１の連結状態」と称する。そして、第１のバンド部分３Ａおよび第２のバンド部分３Ｂの位置を入れ替えて連結された状態、すなわちユーザ１００の足の位置から腰の位置に向かって第２のバンド部分３Ｂおよび第１のバンド部分３Ａに分割さているバンド３の状態を「第２の連結状態」と称する。
【００５１】
第１の連結状態においては、第２のバンド部分３Ｂはユーザ１００の飛球方向側の腰部から腰ベルト２に沿ってユーザ１００の背側に半巻きされる位置にあるため、腰ベルト２に接触するので腰ベルト２との接触摩擦が働き、その分だけ該第２のバンド部分３Ｂの長さが伸び縮みしにくくなっている。一方、第１のバンド部分３Ａはユーザ１００の飛球方向と逆側の腰部から足掛け部４にかけての位置にあるため、腰ベルト２に接触しないので腰ベルト２との接触摩擦は働かず、第１のバンド部分３Ａは、第２のバンド部分３Ｂに比べて長さが伸び縮しやすくなっている。以上により、第１の連結状態においては、第１のバンド部分３Ａ（高弾性率）の方が伸びやすい条件が成立する。
【００５２】
これとは対照的に、第２の連結状態においては、第１のバンド部分３Ａはユーザ１００の飛球方向側の腰部から腰ベルト２に沿ってユーザ１００の背側に半巻きされる位置にあるため、腰ベルト２に接触するので腰ベルト２との接触摩擦が働き、その分だけ該第１のバンド部分３Ａの長さが伸び縮みしにくくなっている。一方、第２のバンド部分３Ｂはユーザ１００の飛球方向と逆側の腰部から足掛け部４にかけての位置にあるため、腰ベルト２に接触しないので腰ベルト２との接触摩擦は働かず、第２のバンド部分３Ｂは、第１のバンド部分３Ａに比べて長さが伸び縮みしやすくなっている。以上により、第２の連結状態においては、第２のバンド部分３Ｂ（低弾性率）の方が伸びやすい条件が成立する。
【００５３】
以上をまとめると、第１および第２の連結状態のいずれでも、ユーザ１００の腰部と大腿部との付け根から足掛け具４までに位置する部分が伸びたことによる弾性復帰力を腰部の背中側を半周するように位置する部分に伝えるようになっているから、第１の連結状態の方が第２の連結状態よりもダウンスイング時にユーザ１００の腰部を回転させる力が大きい。このため、第１のバンド部分３Ａ、第２のバンド部分３Ｂの連結順序を切り替えることにより、ユーザ１００の腰に作用する弾性復帰力の大きさを調整することができる。
【００５４】
本考案は、上記の実施の形態（および実施例）に限定されるものでなく、実用新案登録請求の範囲に記載された本考案の技術的範囲には、考案の要旨を逸脱しない範囲内で種々、設計変更した形態が含まれる。
【００５５】
以上説明したように、本考案に係るスイング矯正具は、ユーザがバックスイングにおいて腰をスウェイしないように促すことができ、かつダウンスイングにおける腰の回転が十分に行われるように促すことができるという効果を有するので、ゴルフスイングを矯正するためのスイング矯正具、特にユーザがバックスイングにおいて腰をスウェイしないように促すことができ、かつダウンスイングにおける腰の回転が十分に行われるように促すことができるスイング矯正具全般に有用である。
【符号の説明】
【００５６】
１  スイング矯正具
２  腰ベルト
３  バンド
３１ａ  紐状弾性体
４  足掛け具
７  位置規制具
１００  ユーザ
【図１】
0003195971.tif 000003
【図２】
0003195971.tif 000004
【図３】
0003195971.tif 000005
【図４】
0003195971.tif 000006
【図５】
0003195971.tif 000007